【手続補正書】
【提出日】平成19年9月27日(2007.9.27)
【手続補正１】
【補正対象書類名】明細書
【補正対象項目名】特許請求の範囲
【補正方法】変更
【補正の内容】
【特許請求の範囲】
【請求項１】  室内から吸入した空気を熱交換器で加熱または冷却し室内へ吹き出す空気調和機において、基準電極とこの基準電極に対してプラスまたはマイナスを印加する対向電極からなり空気流の前記熱交換器の上流側に設けられた荷電部と、前記空気流の前記荷電部の下流側に配置され、この空気流に沿うように臭い成分の吸着面を有する捕集フィルタと、を備えたことを特徴とする空気調和機。
【請求項２】  前記捕集フィルタは、活性炭、光触媒、ゼオライト及び脱臭作用のある添着剤のうち少なくともいずれか１つを含むことを特徴とする請求項１に記載の空気調和機。
【請求項３】  前記捕集フィルタの厚さを５ｍｍ〜２０ｍｍにしたことを特徴とする請求項１または２に記載の空気調和機。
【請求項４】  静電気または物理的吸着により空気の埃塵を捕集する空気清浄フィルタを前記空気流の前記熱交換器の上流側に配置した事を特徴とする請求項１乃至３のいずれかに記載の空気調和機。
【請求項５】  前記荷電部における前記基準電極と前記対向電極間の距離を２５ｍｍ以下としたことを特徴とする請求項１乃至４のいずれかに記載の空気調和機。
【請求項６】  前記荷電部を覆うグリルのピッチを１２ｍｍ以下としたことを特徴とする請求項１乃至５のいずれかに記載の空気調和機。
【請求項７】  室内から吸入した空気を熱交換器で加熱または冷却し室内へ吹き出す空気調和機において、基準電極とこの基準電極に対してプラスまたはマイナスを印加する対向電極からなり空気流の前記熱交換器の上流側に設けられた荷電部を備え、この荷電部が、当該空気調和機の本体に着脱可能な構造としたことを特徴とする空気調和機。
【請求項８】  室内から吸入した空気を熱交換器で加熱または冷却し室内へ吹き出す空気調和機において、基準電極とこの基準電極に対してプラスまたはマイナスを印加する対向電極からなり空気流の前記熱交換器の上流側に設けられた荷電部を備え、当該空気調和機の空気吸込口グリル部の開閉を検知する検知機構が設けられ、前記空気吸込口グリル部が開の状態では前記荷電部への通電を停止することを特徴とする空気調和機。
【請求項９】  送風機により室内から吸入した空気を熱交換器で加熱または冷却し室内へ吹き出す空気調和機において、基準電極とこの基準電極に対してプラスまたはマイナスを印加する対向電極からなり空気流の前記熱交換器の上流側に設けられた荷電部と、前記空気流の前記荷電部の上流側に配置されたプレフィルタまたは空気清浄フィルタと、を備え、このプレフィルタまたは空気清浄フィルタの当該空気調和機への装着状態を検知する検知機構を設け、前記プレフィルタまたは空気清浄フィルタが装着されていない状態では前記送風機もしくは前記荷電部への通電を停止することを特徴とする空気調和機。
【請求項１０】  室内から吸入した空気を熱交換器で加熱または冷却し室内へ吹き出す空気調和機において、基準電極とこの基準電極に対してプラスまたはマイナスを印加する対向電極からなる空気流の前記熱交換器の上流側に設けられた荷電部と、この荷電部の通電を制御する外部操作スイッチと、を備え、この外部操作スイッチにより当該空気調和機が空気清浄単独運転と、冷房、除湿または暖房運転と空気清浄運転との同時運転と、が切り換え可能であることを特徴とする空気調和機。
【請求項１１】  室内から吸入した空気を熱交換器で加熱または冷却し室内へ吹き出す空気調和機において、基準電極とこの基準電極に対してプラスまたはマイナスを印加する対向電極からなり空気流の前記熱交換器の上流側に設けられた荷電部と、当該空気調和機の通電時間をカウントする機構または前記荷電部の通電時間をカウントする機構または前記室内から吸い込んだ空気の汚れ具合を検知する室内空気の汚れ検知機構または前記荷電部の電圧値もしくは電流値もしくは抵抗値を検知する機構と、を備え、これらのカウントまたは検知機構により前記荷電部に堆積した汚れを検知する事を特徴とする空気調和機。
【請求項１２】  室内から吸入した空気を熱交換器で加熱または冷却し室内へ吹き出す空気調和機において、基準電極とこの基準電極に対してプラスまたはマイナスを印加する対向電極からなり空気流の前記熱交換器の上流側に設けられた荷電部と、前記空気流の前記荷電部の上流側に配置されたプレフィルタもしくは空気清浄フィルタと、このプレフィルタもしくは空気清浄フィルタのお手入れまたは交換時期を知らせる表示機構と、を備えた事を特徴とする空気調和機。
【請求項１３】  室内から吸入した空気を熱交換器で加熱または冷却し室内へ吹き出す空気調和機において、基準電極とこの基準電極に対してプラスまたはマイナスを印加する対向電極からなり空気流の前記熱交換器の上流側に設けられた荷電部と、この荷電部のお手入れまたは交換時期を知らせる表示機構と、を備えた事を特徴とする空気調和機。
【請求項１４】  室内から吸入した空気を熱交換器で加熱または冷却し室内へ吹き出す空気調和機において、基準電極とこの基準電極に対してプラスまたはマイナスを印加する対向電極からなり空気流の前記熱交換器の上流側に設けられた荷電部を備え、この荷電部のお手入れまたは交換時期になった場合、前記荷電部への通電を停止する事を特徴とする空気調和機。
【手続補正２】
【補正対象書類名】明細書
【補正対象項目名】０００２
【補正方法】変更
【補正の内容】
【０００２】
【従来の技術】
図１５は荷電部と荷電部の下流側に捕集フィルタを備えた空気調和機を示す図であり、図１５において、１は空気調和機本体、２は空気吸込口、３はプレフィルタ、４は図４に示す基準電極５と対向電極６より構成される荷電部で上記空調機本体１に対し固定されており、７は空気調和機本体１に対し組み立て固定された(図示省略する)シャーシ部材に対し取り付けられた捕集フィルタ、１０は空気調和機本体１に対し固定された熱交換器、１１は空気調和機本体１に対し回転軸を固定された送風機、１２は空気吹出口である。
【手続補正３】
【補正対象書類名】明細書
【補正対象項目名】０００３
【補正方法】変更
【補正の内容】
【０００３】
図１６は従来技術における図の上下方向に目の細かい網状物質から成る集塵フィルタ８ａ及び脱臭フィルタ９ａとから構成される捕集フィルタ７ａの詳細図である。
【手続補正４】
【補正対象書類名】明細書
【補正対象項目名】０００４
【補正方法】変更
【補正の内容】
【０００４】
次に動作について説明する。図１５において、送風機１１により形成される空気の流れによって外気は空気調和機１の周囲から吸い込まれ、空気吸込口２、プレフィルタ３、荷電部４、捕集フィルタ７ａ、熱交換器１０を通過し空気吹出口１２から室内に吹き出す。
【手続補正５】
【補正対象書類名】明細書
【補正対象項目名】０００５
【補正方法】変更
【補正の内容】
【０００５】
捕集フィルタ７a部分の空気の流れをは図１６において空気調和機１前面に相当する紙面の表面から空気調和機１の背面である紙面裏に向かう空気の流れに相当する。
【手続補正６】
【補正対象書類名】明細書
【補正対象項目名】００１４
【補正方法】変更
【補正の内容】
【００１４】
この発明に係る空気調和機は、捕集フィルタ形状を初期圧損および埃塵等の付着による圧力損失増加を低減するために空気流に沿うように臭い成分の吸着面を有す形状とする。
【手続補正７】
【補正対象書類名】明細書
【補正対象項目名】００３５
【補正方法】変更
【補正の内容】
【００３５】
また、図１１に示す空調調和機本体１の運転を制御するリモコンの例により図の２１で示す外部スイッチでは荷電部４の通電を制御することにより、プラズマを発生させ捕集フィルタと併せて効率的に脱臭を行える空気清浄単独運転と、空気清浄運転と冷房、除湿もしくは暖房運転との同時運転の切り換えができる。
【手続補正８】
【補正対象書類名】明細書
【補正対象項目名】００３６
【補正方法】変更
【補正の内容】
【００３６】
【発明の効果】
以上のように、この発明によれば荷電部の空気流の下流側において空気流に沿うように臭い成分の吸着面を有する捕集フィルタを備えたので、初期の圧力損失、埃塵等の付着による圧力損失増加を低減することができる。
さらに、この発明では捕集フィルタに、活性炭、酸化チタン等の光触媒、ゼオライト、脱臭作用のある添着剤の少なくともいずれか１つを含ませたので、捕集フィルタに活性炭、酸化チタン等の光触媒、ゼオライト、脱臭作用のある添着剤により脱臭性能が向上し、さらに、荷電部より発生するプラズマにて捕集フィルタに吸着した臭い成分を分解する効果により、捕集フィルタの脱臭性能が半減化する期間を延長する空気調和機を実現することができる。
【手続補正９】
【補正対象書類名】明細書
【補正対象項目名】００３７
【補正方法】変更
【補正の内容】
【００３７】
また、この発明では捕集フィルタの厚さを５ｍｍ〜２０ｍｍにして、脱臭並び送風量の両性能における適正値に設定し、更に空気調和機のサイズ拡大を抑制した空気調和機を実現することができる。
【手続補正１０】
【補正対象書類名】明細書
【補正対象項目名】００３８
【補正方法】変更
【補正の内容】
【００３８】
また、この発明では静電気または物理的吸着により空気の埃塵を捕集する空気清浄フィルタを熱交換器の風上側に配置した。よって、従来は帯電した塵埃が流れの後方にある熱交換器を汚れさせたが、この発明では荷電部に到着する以前に空気中の塵埃を空気清浄フィルタにより捕集するので熱交換器の伝熱性能劣化を防ぐ空気調和機を実現する。
【手続補正１１】
【補正対象書類名】明細書
【補正対象項目名】００３９
【補正方法】変更
【補正の内容】
【００３９】
荷電部において基準電極と対向電極間距離を２５ｍｍ以下とした荷電部の電極間距離の規制により、荷電部への埃塵等の付着を抑制しかつ荷電部の異常放電を防止した空気調和機を実現する。
【手続補正１２】
【補正対象書類名】明細書
【補正対象項目名】００４０
【補正方法】変更
【補正の内容】
【００４０】
さらに、荷電部においてグリルピッチを１２ｍｍ以下とし荷電部を指が直接電極に触れられない構造とし、空気吸込口グリルの開閉検知機構を備えることにより空気調和機使用時の不注意、荷電部のお手入れ時、フィルタ交換時に荷電部での感電が防止された空気調和機を実現する。
【手続補正１３】
【補正対象書類名】明細書
【補正対象項目名】００４１
【補正方法】変更
【補正の内容】
【００４１】
荷電部を空気調和機本体より容易に着脱でき水洗い可能な構造としたので製品利用者がお手入れを簡単に実施できる空気調和機を提供することを可能とする。
【手続補正１４】
【補正対象書類名】明細書
【補正対象項目名】００４３
【補正方法】変更
【補正の内容】
【００４３】
荷電部の上流側に設けられたプレフィルタまたは空気清浄フィルタの組み込み状態を検知する検知機構を設け、プレフィルタまたは空気清浄フィルタが組み込まれていない状態では送風機もしくは荷電部への通電を停止する機構を備えたので、荷電部への塵埃等の付着による異常放電を防止した空気調和機を実現する。
【手続補正１５】
【補正対象書類名】明細書
【補正対象項目名】００４５
【補正方法】変更
【補正の内容】
【００４５】
空気調和機の通電時間をカウントする機構もしくは荷電部の通電時間をカウントする機構または空気の汚れの検知機構または荷電部の電圧値もしくは電流値もしくは抵抗値を検知する機構を備えることで荷電部に堆積した汚れを検知する事により荷電部の異常動作を防いだ空気調和機を実現する。